(57)【要約】【課題】  少ない操作荷重で容易且つ迅速にスライドカバーの開閉を可能にする携帯製品用スライドユニットを提供する。【解決手段】  携帯電話本体２とこの携帯電話本体２の正面をスライド可能に覆うスライドカバー３との間に介装され、スライドカバー３を携帯電話本体２に対して開位置又は閉位置に付勢する携帯製品用スライドユニットであって、前記スライドカバー３の開閉方向に沿って配置されたケースと、ケースに沿って摺動可能なスライダと、前記スライダを付勢するコイルばねと、前記スライダに一端が支持されるＣワイヤと、このＣワイヤの他端を案内し端部にハートカム機構を有するガイドとを備えたことを特徴とする。  【選択図】      図２
2005244592.tif 000002
【特許請求の範囲】
【請求項１】
携帯製品本体とこの携帯製品本体の正面をスライド可能に覆うカバーとの間に介装され、カバーを携帯製品本体に対して開位置又は閉位置に付勢する携帯製品用スライドユニットであって、前記カバーの開閉方向に沿って配置されたケースと、ケースに沿って摺動可能なスライダと、前記スライダを付勢するコイルばねと、前記スライダに一端が支持されるカムフォロアと、このカムフォロアの他端を案内し端部にハートカム機構を有するガイドとを備えたことを特徴とする携帯製品用スライドユニット。
【請求項２】
前記コイルばねに併設して細棒状のカムフォロアが配置されていることを特徴とする請求項１に記載の携帯製品用スライドユニット。
【請求項３】
前記スライダには、前記カムフォロアを前記ハートカム機構のカム溝に押圧保持させる押さえ部を設けたことを特徴とする請求項１又は請求項２に記載の携帯製品用スライドユニット。
【請求項４】
前記スライダが前記携帯製品本体に支持され、前記ケースが前記カバーに固定して配設されていることを特徴とする請求項１〜請求項３の何れかに記載の携帯製品用スライドユニット。
【請求項５】
前記携帯製品本体とこの携帯製品本体を覆う前記カバーの側壁との間に介装されていることを特徴とする請求項１〜請求項４の何れかに記載の携帯製品用スライドユニット。
【請求項６】
前記携帯製品は携帯電話であることを特徴とする請求項１〜請求項５の何れかに記載の携帯製品用スライドユニット。
【発明の詳細な説明】
【技術分野】
【０００１】
この発明は、例えば携帯電話などの携帯製品のスライドユニットに関するものである。
【背景技術】
【０００２】
従来、例えばデジタルカメラや携帯電話に代表される携帯製品の中には、表示部又はレンズの保護あるいはスイッチ類の誤操作の防止を目的とするカバーを備えたものがある。このカバーの中でも特にスライドカバーは持ち運び時に誤操作がなく開閉操作が容易であることから、持ち歩いて使用する際の使い勝手がよく、様々な携帯製品に採用されている。
近年、これらのスライドカバーにおいてはさらなる商品性の向上が要望されており、開閉状態を保持するロック機構を設けたスライドカバーがある（例えば、特許文献１参照。）。
【特許文献１】特開２００１−１１９４５６号公報
【発明の開示】
【発明が解決しようとする課題】
【０００３】
しかしながら、上述したロック機構を設けたスライドカバーの場合、前記カバーのロック状態を解除するためには、より大きい操作荷重を前記スライドカバーに加える必要があり、特に手荷物を持ったような力を加え辛い状態では容易に前記スライドカバーの開閉操作を行うことができず操作者の負担が増加するという問題がある。
さらに、前記スライドカバーの開閉時に大きい操作荷重が必要となることから、前記スライドカバーを迅速に開閉することが困難であるという問題がある。
【課題を解決するための手段】
【０００４】
そこで、この発明は、小さい操作荷重で容易且つ迅速にスライドカバーの開閉を可能にする携帯製品用スライドユニットを提供することを目的とする。
【０００５】
上記課題を解決するために、請求項１に記載した発明は、携帯製品本体（例えば、実施の形態における携帯電話本体２）とこの携帯製品本体の正面をスライド可能に覆うカバー（例えば、実施の形態におけるスライドカバー３）との間に介装され、カバーを携帯製品本体に対して開位置又は閉位置に付勢する携帯製品用スライドユニットであって、前記カバーの開閉方向に沿って配置されたケースと、ケースに沿って摺動可能なスライダと、前記スライダを付勢するコイルばねと、前記スライダに一端（例えば、実施の形態における一端部３５）が支持されるカムフォロア（例えば、実施の形態におけるＣワイヤ３４）と、このカムフォロアの他端（例えば、実施の形態における他端部３６）を案内し端部にハートカム機構を有するガイド（例えば、実施の形態におけるワイヤガイド３７）とを備えたことを特徴とする。
このように構成することで、コイルばねを用いてストローク量を十分に確保すると共に前記コイルばねの付勢力で前記カバーを開又は閉方向にスライドさせることができる。
そして、前記ハートカム機構を設けたことで操作荷重を低減しても節度感を得ることができる。
【０００６】
請求項２に記載した発明は、前記コイルばねに併設して細棒状のカムフォロアが配置されていることを特徴とする。
このように構成することで、カムフォロアがコイルばねの配置の邪魔にならないため前記スライダのストローク量を相対的に増加させることができる。
【０００７】
請求項３に記載した発明は、前記スライダには、前記カムフォロアを前記ハートカム機構のカム溝に押圧保持させる押さえ部（例えば、実施の形態におけるワイヤ押さえ部４０）を設けたことを特徴とする。
このように構成することで、前記スライドユニットの組み立て時において、前記カムフォロアを前記スライダに組付けてからこのスライダを前記ケースに取り付けることができる。
【０００８】
請求項４に記載した発明は、前記スライダが前記携帯製品本体に支持され、前記ケースが前記カバーに固定して配設されていることを特徴とする。
このように構成することで、前記スライドユニットが外部に露出することなしに前記カバーを開閉することができる。
【０００９】
請求項５に記載した発明は、前記携帯製品本体とこの携帯製品本体を覆う前記カバーの側壁との間に介装されていることを特徴とする。
このように構成することで、前記カバーのスペースを有効利用して、前記カバーの操作性を向上させることができる。
【００１０】
請求項６に記載した発明は、前記携帯製品は携帯電話であることを特徴とする。
このように構成することで、誤操作をなくすためキー操作部をカバーで覆いつつも、カバーの開閉操作を容易に行うことができる。
【発明の効果】
【００１１】
請求項１に記載した発明によれば、コイルばねを用いてストローク量を十分に確保すると共に前記コイルばねの付勢力によって前記カバーを開又は閉方向にスライドさせることができるため、前記カバーの開閉を容易に行えるという効果がある。
そして、前記ハートカム機構を設けたことで操作荷重を低減しても節度感を得ることができるため、前記開又は閉状態を容易に保持することができる効果がある。
【００１２】
請求項２に記載した発明によれば、請求項１の効果に加え、カムフォロアがコイルばねの配置の邪魔にならないため前記スライダのストローク量を相対的に増加させることができ、したがって、省スペース化を図ることが可能となる効果がある。
【００１３】
請求項３に記載した発明は、請求項１又は請求項２の効果に加え、前記スライドユニットの組み立て時において、前記カムフォロアを前記スライダに組付けてからこのスライダを前記ケースに取り付けることができるため、組付け容易性が向上し作業者の負担を軽減することができる。
【００１４】
請求項４に記載した発明によれば、請求項１〜請求項３の何れかの効果に加え、前記スライドユニットが外部に露出することなしに前記カバーを開閉することができるため、前記携帯製品の商品性を向上させることが可能となる効果がある。
【００１５】
請求項５に記載した発明によれば、請求項１〜請求項４の何れかの効果に加え、前記カバーのスペースを有効利用して、前記カバーの操作性を向上させることができるため、様々な携帯製品に適用することができる効果がある。
【００１６】
請求項６に記載した発明によれば、請求項１〜請求項５の何れかの効果に加え、誤操作をなくすためキー操作部をカバーで覆いつつも、カバーの開閉操作を容易に行うことができるため受信動作、着信動作に迅速に移行できる点で携帯電話に好適である。
【発明を実施するための最良の形態】
【００１７】
以下、この発明の第一の実施の形態を図面に基づいて説明する。
図１に示すように、携帯電話（携帯製品）１は携帯電話本体（携帯製品本体）２と、この携帯電話本体２の正面を覆うスライドカバー（カバー）３とから構成されている。前記携帯電話本体２の正面上部には例えば電話番号や各種情報等を表示する表示部４が設けられ、この携帯電話本体２の正面下部には例えば電話番号やメールの文字を入力するための複数の操作ボタンから成る操作部５が有段成型されて設けられている。また、前記携帯電話本体２の正面上部には正面下部との境界部分に下側に向かう半円形上の凸部６が設けられている。そして、前記携帯電話本体２の側面には前記スライドカバー３を案内する案内溝７が設けられている。
【００１８】
前記スライドカバー３は前記操作部５をスライド操作によって開閉自在に覆うものであり、前記携帯電話本体２の正面側を構成する上壁から側面側を構成する側壁に回り込んで略コの字状に形成されている。さらに、前記スライドカバー３の上面は前記表示部４が配置された携帯電話本体２の正面と面一に形成され、前記スライドカバー３の上縁には凸部６に整合した凹部８が形成されている。つまり、前記スライドカバー３を全閉にするとスライドカバー３の凹部８は前記凸部６を受容し、且つスライドカバー３の上縁が前記操作部５上縁の段差に密着して、前記操作部５は前記スライドカバー３によって密閉されることとなる。
【００１９】
図２に示すように、前記スライドカバー３の側壁内側にはスライドカバー３のスライド動作をガイドするためのある程度の長さを有した突条９，９が設けられている。この突条９，９は前記案内溝７，７に嵌り込んで移動するものであり、前記スライドカバー３の上縁から前記案内溝７，７に沿って配置されている。
また、前記突条９，９に併設して前記スライドカバー３の上壁寄りにスライドユニット１０，１０が固設されている。このスライドユニット１０，１０は前記スライドカバー３よりもやや短い長さを有し前記突条９，９に沿って設けられている。つまり、前記スライドカバー３と前記携帯電話本体２との間にこのスライドユニット１０，１０が介装されているのである。
【００２０】
図２、図３に示すように、前記スライドユニット１０，１０は前記スライドカバー３を例えば閉位置に付勢するためのピン１１，１１を備えている。一方、携帯電話本体２の下部側面には案内溝７，７よりも正面側に穴１２，１２が形成され、前記ピン１１，１１を前記携帯電話本体２の穴１２，１２に係止することで、スライドユニット１０，１０により携帯電話本体２に一体化されたスライドカバー３が閉方向に付勢されることとなる。
尚、図示都合上、図３では携帯電話本体２の内部構成部品の図示を省略する。
【００２１】
前記携帯電話本体２には通話するためのスピーカ用の音孔１３とマイク用の音孔１４とがそれぞれ前記表示部４の上縁近傍と前記操作部５の下部に設けられている。さらに、前記スライドカバー３にも音孔１５が形成され、この音孔１５は前記スライドカバー３が全閉時に前記マイク用の音孔１４の真上に配置されるように形成されている。
前記表示部４の下縁近傍には例えばリダイヤルや受信等の操作を行うための操作ボタン１６ａ，１６ｂ，１６ｃが設けられている。この操作ボタン１６ａ，１６ｂ，１６ｃは前記表示部４の近傍に配置され、前記スライドカバー３が全閉の状態であっても操作することが可能となっている。
尚、携帯電話本体２の上面にはアンテナ１７が設けられている。また、図１ではスライドカバー３が全開の状態を示している。
【００２２】
図４に示すように、前述のスライドユニット１０は略直方体に形成されたものであり、シールドカバー１８を備えている。このシールドカバー１８には上面に長孔１９が形成されている。この長孔１９は前記スライドユニット１０に沿って形成されたものであり、この長孔１９からピン１１が突出している。尚、前記シールドカバー１８の端部には後述するケース２０の爪２１に係止する係合孔２２が設けられている。
【００２３】
図５に示すように、前記スライドユニット１０はケース２０を有している。このケース２０は前記スライドカバー３に固設されるものであり、この両端に後述するシャフト支持部２３，２３を備えている。これらシャフト支持部２３，２３の内側面には円柱状のシャフト２４を支持する嵌合穴２５，２５が対向して設けられている。尚、前記シャフト支持部２３，２３の外面には前記シールドカバー１８の前記係合孔２２と係合する爪２１が設けられている。
【００２４】
前記シャフト２４の両端は前記各嵌合穴２５，２５に挿入され、シャフト支持部２３，２３に挟み込まれて固定されている。前記シャフト２４にはスライダ２６がコイルばね２７によって付勢した状態でスライド自在に嵌装されている。このスライダ２６に前記ピン１１が取り付けられ、このピン１１が前記シールドカバー１８の長孔１９から突出している。
前記コイルばね２７はスライドカバー３のストロークに対応した圧縮ストローク（例えば、５０ｍｍ以上）を有し、前記シャフト２４に挿通されるものであり、この一端は前記シャフト支持部２３に固定されている。一方、前記コイルばね２７の他端はスライダ２６に固定されている。
ここで、前記コイルばね２７は圧縮方向で使用する押しばねであるため、端部にフックを必要とする引きばねよりも実質的なストロークを長く確保できる点で有利である。尚、前記シャフト２４はコイルばね２７の伸縮動作をガイドできれば断面形状は円形状に限られるものではなく、断面多角形状のものを用いてもよい。
【００２５】
前記スライダ２６のスライダ基部２８に前記シャフト２４の挿通孔２９が形成されている。前記挿通孔２９は前記シャフト２４をスライド自在に挿通させるためのものであり前記シャフト２４の直径よりも若干広く形成されている。
また、前記スライダ基部２８にはピン支持部３０が前記スライダ基部２８の幅方向に突出して設けられている。このピン支持部３０は上方に向けて開口する嵌合穴３１を備えたものであり、この嵌合穴３１には前述のピン１１が嵌合して固定されている。
【００２６】
前記ピン支持部３０には前記嵌合穴３１に隣接し且つスライダ基部２８に沿って有段形成されたワイヤ支持部３２が設けられている。このワイヤ支持部３２にはワイヤ支持孔３３が形成されており、このワイヤ支持孔３３に略コの字状に形成された細棒状のＣワイヤ（カムフォロア）３４の一端部（一端）３５が挿入して固定されている。前記Ｃワイヤ３４は前記ワイヤ支持孔３３によって水平方向である程度の傾動を許容して支持されるものであり、例えばピアノ線等の弾性を有した線材の両端を曲げ加工によって略垂直方向に折曲して形成されたものである。このＣワイヤ３４の他端部（他端）３６は後述するワイヤガイド（ガイド）３７に摺接して前記スライダ２６と共に移動することとなる。
【００２７】
前記ケース２０にはシャフト支持部２３の間に前記スライダ２６を案内するスリット状のスライダガイド３８と前記Ｃワイヤ３４をガイドするワイヤガイド３７とが上面と下面とに段差を持って平行につまり、前述のコイルばね２７の軸線と前記Ｃワイヤ３４の軸線を共有させずにずらして形成されている。
また、前記ワイヤガイド３７の一端部３５には前記スライドカバー３の操作時に節度感を持たせるＣワイヤ３４と共にハートカム機構を構成するカム溝３９が形成されている。このカム溝３９は前記ワイヤガイド３７と連設しており、具体的には、前記スライダ２６をスライドさせることで前記Ｃワイヤ３４の他端部３６が前記ワイヤガイド３７に沿って移動してカム溝３９に至るまで案内されることとなる。
【００２８】
図６に示すように、前記スライダ２６はワイヤ押さえ部（押さえ部）４０を有している。このワイヤ押さえ部４０は弾性を有しており前記Ｃワイヤ３４を上方から押圧するものである。前記ワイヤ押さえ部４０は前記ワイヤ支持部３２と同方向に延出して設けられ、前記スライダ基部２８と一体に形成されている。前記ワイヤ押さえ部４０は前記ピン支持部３０又はワイヤ支持部３２の幅と同等の長さを有し上面に弾性を高めるための稜線部４１を備えた断面多角形状に形成されている。そして、このワイヤ押さえ部４０の底面が前記Ｃワイヤ３４を上方から押圧することとなる。つまり、前記Ｃワイヤ３４の他端部３６は前記ワイヤ押さえ部４０によって常に前記ワイヤガイド３７内に向けて付勢されているのである。
【００２９】
図７に示すように、前記スライダ２６の底面にはスライド方向にある程度の長さを持った突条４２が形成されている。この突条４２は前記スライダガイド３８にスライド自在に係合し、前記シャフト２４によって支持されたスライダ２６の回転方向への動きと前記シャフト２４の横方向へのたわみによる動きとを規制するものである。
そして、前述の前記ケース２０に形成されたワイヤガイド３７とスライダガイド３８との段差に対応して、前記スライダ基部２８の底面と前記ピン支持部３０及びワイヤ支持部３２との底面とは有段成型されている。
したがって、前記突条４２に加え前記スライダ基部２８の底面とピン支持部３０及びワイヤ支持部３２との底面とが有段成型することでスライダ２６の幅方向のたわみによる動きをより確実に規制することができるのである。
尚、図示都合上、図７ではシャフト２４とＣワイヤ３７の図示を省略している。
【００３０】
図８に示すように、前記ケース２０には前記Ｃワイヤ３４と共にハートカム機構を構成する周知のカム溝３９が形成されている。このカム溝３９は、平面視略ハート状のもので、前記Ｃワイヤ３４の他端部３６がこのカム溝３９内を相対的に摺動することで、前記スライドカバー３の位置決めをなすものとなっている。
【００３１】
図９に示すように、前記カム溝３９は前記Ｃワイヤ３４の他端部３６が矢印方向に一方通行で進むべく、各所定位置に段差や傾斜が設けられている。すなわち、前述のスライドカバー３が閉塞しておらず、したがって前記スライダ２６が前記ピン１１によって長手方向に移動させられていない初期状態において、前記Ｃワイヤ３４の他端部３６は、前記カム溝３９の地点ａよりも紙面左側のワイヤガイド３７に位置することとなる。
【００３２】
そして、前記スライドカバー３が閉塞されることで前記スライダ２６が相対的に前進すると、前記カム溝３９は、Ｃワイヤ３４の他端部３６を、矢印に沿ってｂ、ｃの各地点を通って走行させ、さらに地点ｄに至らせる。地点ｂでは、前記カム溝３９が二方向に分岐しているものの、一方の側に段差を形成していることにより、矢印に沿って地点ｃに向けて走行させるようになっている。
【００３３】
また、地点ｃを経て地点ｄに至ると、後述するように前記スライドカバー３への押圧が解除されることでスライダ２６の移動が停止させられ、この状態に保持される。
そして、この状態から再度スライダ２６が前進させられると、カム溝３９は、Ｃワイヤ３４の他端部３６を、矢印に沿ってｅ地点を通って地点ｂに走行させ、さらに地点ａに復帰させる。地点ｄでは、地点ｃに戻る方向には段差が形成されていることにより、必ず地点ｅに向けて走行させるようになっている。
【００３４】
したがって、上記第一の実施の形態によれば、前記スライドカバー３の開閉方向に沿って配置されたケース２０と、ケース２０に沿ってスライド可能なスライダ２６と、前記スライダ２６を付勢するコイルばね２７と、前記スライダ２６に一端部３５が支持されるＣワイヤ３４と、このＣワイヤ３４の他端部３６を案内し端部にハートカム機構を有するワイヤガイド３７とを備えたことで、前記コイルばね２７を用いて前記スライダ２６のストローク量を十分に確保すると共に前記コイルばね２７の付勢力で前記スライドカバー３を閉方向に付勢することができる。
そして、前記ハートカム機構のカム溝３９を設けたことでより少ない操作荷重で前記スライドカバー３を操作して節度感を得ることができるため、前記スライドカバー３の開閉を容易に行うことができる。
【００３５】
また、前記コイルばね２７に併設して細棒状のＣワイヤ３４を配置したことで、Ｃワイヤ３４がコイルばね２７の配置の邪魔にならず前記スライダ２６のストローク量を相対的に増加させることができるため、前記スライダユニット１０の省スペース化を図ることが可能となる。
【００３６】
さらに、前記Ｃワイヤ３４をハートカム機構の前記カム溝３９に押圧保持させるワイヤ押さえ部４０を前記スライダ２６に設けたことで、前記スライドユニット１０の組み立て時に、前記Ｃワイヤ３４の一端部３５を前記スライダ２６のワイヤ支持孔３３に挿入して前記ワイヤ押さえ部４０によって保持してからこのスライダ２６を前記ケース２０に取り付けることができるため、前記スライダ２６の組付け作業が容易となり作業者の負担を軽減することができる。
【００３７】
そして、前記スライダ２６がピン１１を介して前記携帯電話本体２の側面に支持され、前記ケース２０が前記スライドカバー３の側壁内側に固定して配設されていることで、前記スライドユニット１０を外部に露出させずに前記スライドカバー３の開閉をすることができるため、前記携帯電話１の外観品質を低下させることなしに商品性を向上させることが可能となる。
【００３８】
前記スライダユニット１０が前記携帯電話本体２と前記スライドカバー３の側壁との間に介装されていることで、前記スライドカバー３と携帯電話本体２との間のスペースを有効利用して、前記スライドカバー３の操作性を向上させることができるため、様々な態様の携帯電話１のスライドカバー３に適用することができる。
とりわけ、誤操作をすることが多い携帯電話１の操作部５では前記スライダユニット１０を前記スライドカバー３に取り付けることで開閉操作を容易に行うことができるため有利である。
【００３９】
次に、第二の実施の形態を図１０に基づいて簡単に説明する。尚、同一部分に同一符号を付して説明する。
この第二の実施の形態において、ケース２０にシールドケース１８が取り付けられ、このケース２０にスライド自在にスライダ２６が設けられ、このスライダ２６と併設してＣワイヤ３４が取り付けられている点、スライダ２６のピン１１が長孔１９に沿ってスライド自在に案内され、ワイヤ押さえ部４０で押圧されたＣワイヤ３４が溝３７に沿って移動する点などの基本的構成は前記実施の形態と同様である。ここで、前記スライダ２６はケース２０に基端が取り付けられたコイルばね４３の先端が取り付けられ、このコイルばね４３は引っ張りばねとしてスライダ２６を介したスライドカバー３の開閉動作に寄与しているものである。
この第二の実施の形態によれば、前述の第一の実施の形態の効果に加え、シャフト２４を廃止できる点で軽量化を図れるメリットがある。
【００４０】
尚、この発明は上述した各実施の形態に限られるものではなく、デジタルカメラ等の携帯製品に適用してもよい。さらに、前記スライドカバー３の開又は閉方向つまり前記コイルばね２７によって付勢する方向を適宜選択してよい。そして、このスライドユニット１０のケース２０を前記スライドカバー３に一体で形成してもよく、前記ピン１１を携帯電話本体２又はスライダ２６と一体で設けてもよい。また、例えばスライドユニット１０を携帯電話本体２の正面と前記スライドカバー３の間に介装するなど取り付け位置は適宜選択してもよい。
【図面の簡単な説明】
【００４１】
【図１】この発明の実施の形態の携帯電話の斜視図である。
【図２】この発明の実施の形態のスライドカバーを外した状態の携帯電話の斜視図である。
【図３】この発明の第一の実施の形態の図１のＡ−Ａ線に沿う断面図である。
【図４】この発明の第一の実施の形態のスライドユニットの斜視図である。
【図５】この発明の第一の実施の形態のスライドユニットの分解斜視図である。
【図６】この発明の第一の実施の形態のケースに組付けられた状態のスライダの斜視図である。
【図７】この発明の第一の実施の形態の図５のＢ方向から見た矢視図である。
【図８】この発明の第一の実施の形態の図５のＣ部拡大図である。
【図９】この発明の第一の実施の形態のハートカム部の説明図である。
【図１０】この発明の第二の実施の形態のスライドユニットの縦断面図である。
【符号の説明】
【００４２】
１  携帯電話
２  携帯電話本体（携帯製品本体）
３  スライドカバー（カバー）
２０  ケース
２６  スライダ
２７  コイルばね
３４  Ｃワイヤ（カムフォロア）
３５  一端部（一端）
３６  他端部（他端）
３７  ワイヤガイド（ガイド）
４０  ワイヤ押さえ部（押さえ部）
４３  コイルばね
【図１】
2005244592.tif 000003
【図２】
2005244592.tif 000004
【図３】
2005244592.tif 000005
【図４】
2005244592.tif 000006
【図５】
2005244592.tif 000007
【図６】
2005244592.tif 000008
【図７】
2005244592.tif 000009
【図８】
2005244592.tif 000010
【図９】
2005244592.tif 000011
【図１０】
2005244592.tif 000012